(57)【要約】【課題】液槽から離れた場所においても簡便に液面の水位を確認でき、液面の水位に応じた注意喚起を行うことが出来る簡便な液面計を提供する。【解決手段】液槽内の液中に挿入された細管の差圧を利用する液面計において、液中に挿入する細管ａに空気配管ｂと圧力計ｃを設け、当該圧力計ｃには対応する液面ｈの水位に応じ、例えば、「ピット満量  至急移送」、「移送開始」、「ピット量注意  移送準備」、「安全地帯」等の文字を表記した注意表記板ｄを設けた液面計により、上記課題が解決される。【選択図】図１
0003153869.tif 000002
【実用新案登録請求の範囲】
【請求項１】
液中に挿入された細管の差圧を利用する液面計において、液中に挿入する細管に空気配管と圧力計を連結し、当該圧力計に液面の水位に応じた注意表記板を設けてあることを特徴とする液面注意表記装置。
【考案の詳細な説明】
【技術分野】
【０００１】
本考案は、液槽から離れた場所においても液面の水位に応じた注意喚起を行うことが出来る簡便な液面注意表記装置に関するものである。
【背景技術】
【０００２】
従来の液中に挿入された管内の差圧を利用した液面計は、管内に振動式の特殊ポンプを装備する方法（特許文献１）や、低温液化ガス用として管に発熱体を設け、液の気化によって給気する方法（特許文献２）等の給気方法を改良する方法が提案されている。
【０００３】
【特許文献１】実開平２−５２１２２号公報
【特許文献２】実開昭５８−１６９５２８号公報
【考案の開示】
【考案が解決しようとする課題】
【０００４】
しかしながら、いずれの方法においても液中に挿入する管内に給気する機構または装置に関するもので、液面の表記方法自体に関しての言及はなかった。
【０００５】
この考案が解決しようとする課題は、液槽から離れた場所においても液面の水位に応じた注意喚起を行うことが出来る簡便な液面注意表記装置を提供するものである。
【課題を解決するための手段】
【０００６】
本考案は上記課題を解決するものであって、液槽内の液中に挿入された細管の差圧を利用する液面計において、液中に挿入する管に空気配管と圧力計を連結し、圧力計には対応する液面の水位に応じ、例えば、「ピット満量  至急移送」、「移送開始」、「ピット量注意  移送準備」、「安全地帯」等の文字を表記した注意表記板を設けてあることを特徴とする液面注意表記装置である。
【考案の効果】
【０００７】
上記の手段を用いる事によって、液槽から離れた場所においても液槽のある場所に移動することなく圧力計により簡便に液面の水位を確認でき、さらには文字を表記した注意表記板を視認することによってピット量の確認、あるいはピットが満量になる前に液の移送を促す等の注意喚起ができる。
【考案を実施するための最良の形態】
【０００８】
細管ａの上端部には、空気配管ｂと圧力計ｃが設けられ、圧力計ｃには、あらかじめ差圧に対する液面ｈの水位の高さに応じた注意表記板ｄが設けられている。
【図面の簡単な説明】
【０００９】
【図１】本考案の液面注意表記装置の液面が高い場合の一実施例の全体図を示すものである。
【図２】本考案の液面注意表記装置の液面が低い場合の一実施例の全体図を示すものである。
【図３】本考案の液面注意表記装置に設けられる注意表記板において液面が高い場合の一実施例を示すものである。
【図４】本考案の液面注意表記装置に設けられる注意表記板において液面が低い場合の一実施例を示すものである。
【００１０】
以下、添付図面に従って一実施例を説明する。排水ピットである液槽ｆの液体ｇ中に挿入された細管ａに空気配管ｂおよび連結管eを連結し当該空気配管ｂを通じて一定圧の空気を送入し、細管の下端から空気を噴出させる。そのときの液面ｈの水位に対応した差圧の指針が連結管eを介して細管の上端に設けた圧力計ｃに示される。この圧力計ｃの指針に対応した注意表示板ｄが圧力計の外側に設けられており、その指針を視認することによってピットが満量になる前に注意表記板ｄに記載された「ピット量注意  移送準備」、「移送開始」等の注意表示文字を視認することにより注意喚起を行うことができる。
【符号の説明】
【００１１】
ａ：細管
ｂ：空気配管                                    
ｃ：圧力計
ｄ：注意表記板                          
ｅ：連結管
ｆ：液槽
ｇ：液体
ｈ：液面
【図１】
0003153869.tif 000003
【図２】
0003153869.tif 000004
【図３】
0003153869.tif 000005
【図４】
0003153869.tif 000006
【手続補正書】
【提出日】平成21年7月22日(2009.7.22)
【手続補正１】
【補正対象書類名】実用新案登録請求の範囲
【補正対象項目名】全文
【補正方法】変更
【補正の内容】
【実用新案登録請求の範囲】
【請求項１】
液中に挿入された細管の差圧を利用する液面計において、液中に挿入する細管に空気配管と圧力計を連結し、当該圧力計に液面の水位に応じた注意表記板を設けてあることを特徴とする液面計。
【手続補正２】
【補正対象書類名】明細書
【補正対象項目名】全文
【補正方法】変更
【補正の内容】
【考案の詳細な説明】
【技術分野】
【０００１】
本考案は、液槽から離れた場所においても液面の水位に応じた注意喚起を行うことが出来る簡便な液面計に関するものである。
【背景技術】
【０００２】
従来の液中に挿入された管内の差圧を利用した液面計は、管内に振動式の特殊ポンプを装備する方法（特許文献１）や、低温液化ガス用として管に発熱体を設け、液の気化によって給気する方法（特許文献２）等の給気方法を改良する方法が提案されている。
【０００３】
【特許文献１】実開平２−５２１２２号公報
【特許文献２】実開昭５８−１６９５２８号公報
【考案の開示】
【考案が解決しようとする課題】
【０００４】
しかしながら、いずれの方法においても液中に挿入する管内に給気する機構または装置に関するもので、液面の表記方法自体に関しての言及はなかった。
【０００５】
この考案が解決しようとする課題は、液槽から離れた場所においても液面の水位に応じた注意喚起を行うことが出来る簡便な液面計を提供するものである。
【課題を解決するための手段】
【０００６】
本考案は上記課題を解決するものであって、液槽内の液中に挿入された細管の差圧を利用する液面計において、液中に挿入する管に空気配管と圧力計を連結し、圧力計には対応する液面の水位に応じ、例えば、「ピット満量  至急移送」、「移送開始」、「ピット量注意  移送準備」、「安全地帯」等の文字を表記した注意表記板を設けてあることを特徴とする液面計である。
【考案の効果】
【０００７】
上記の手段を用いる事によって、液槽から離れた場所においても液槽のある場所に移動することなく圧力計により簡便に液面の水位を確認でき、さらには文字を表記した注意表記板を視認することによってピット量の確認、あるいはピットが満量になる前に液の移送を促す等の注意喚起ができる。
【考案を実施するための最良の形態】
【０００８】
細管ａの上端部には、空気配管ｂと圧力計ｃが設けられ、圧力計ｃには、あらかじめ差圧に対する液面ｈの水位の高さに応じた注意表記板ｄが設けられている。
【図面の簡単な説明】
【０００９】
【図１】本考案の液面計の液面が高い場合の一実施例の全体図を示すものである。
【図２】本考案の液面計の液面が低い場合の一実施例の全体図を示すものである。
【図３】本考案の液面計に設けられる注意表記板において液面が高い場合の一実施例を示すものである。
【図４】本考案の液面計に設けられる注意表記板において液面が低い場合の一実施例を示すものである。
【００１０】
以下、添付図面に従って一実施例を説明する。排水ピットである液槽ｆの液体ｇ中に挿入された細管ａに空気配管ｂおよび連結管eを連結し当該空気配管ｂを通じて一定圧の空気を送入し、細管の下端から空気を噴出させる。そのときの液面ｈの水位に対応した差圧の指針が連結管eを介して細管の上端に設けた圧力計ｃに示される。この圧力計ｃの指針に対応した注意表示板ｄが圧力計の外側に設けられており、その指針を視認することによってピットが満量になる前に注意表記板ｄに記載された「ピット量注意  移送準備」、「移送開始」等の注意表示文字を視認することにより注意喚起を行うことができる。
【符号の説明】
【００１１】
ａ：細管
ｂ：空気配管                                    
ｃ：圧力計
ｄ：注意表記板                          
ｅ：連結管
ｆ：液槽
ｇ：液体
ｈ：液面